(57)【要約】【課題】従来、ＡＶ機器間でネットワークをはるには、ケーブル接続の煩雑さや小さなユーザーインターフェースの使いにくさが問題であった。【解決手段】本発明はそれぞれの機器の情報を表示できる表示装置、動画や静止画を記録できるメモリに加えて、複数のＡＶ機器間でのネットワークを可能にする為Ｂｌｕｅｔｏｏｔｈや無線ＬＡＮ等の汎用な無線部を備え、機器間の情報の受け渡しを集中して行う事ができる。例えば本ＡＶモニタ装置１００によりビデオカメラ２００、でジタルカメラ３００、プリンタ４００間で表示モニタを共用したり、動画や静止画をビデオカメラ２００やデジタルカメラ３００から受け取り、メモリに記録したり、静止画を任意の機器から任意の機器へ受け渡したり、記録開始やカメラ設定、印刷設定、印刷開始等のコントロ―ル操作を指示できる。【選択図】図２
2005191622.tif 000002
【特許請求の範囲】
【請求項１】
他の機器と信号の送受信し各種情報を表示可能なＡＶモニタ装置であって、使用者により各種操作入力が可能な操作手段と、各種情報を表示可能な表示手段と、前記他の機器との間で信号の送受信が可能な送受信手段と、前記表示手段及び前記送受信手段とを制御する制御手段とを備え、前記制御手段は、前記操作手段を操作することにより、前記他の機器から送信される信号を前記表示手段に表示するよう制御することを特徴とするＡＶモニタ装置。
【請求項２】
他の機器は、ビデオカメラ、デジタルカメラ、プリンタのうちいずれか又は全てで構成されたことを特徴とする請求項１記載のＡＶモニタ装置。
【請求項３】
動画、静止画、音声を記録できるメモリを有し、ビデオカメラ、デジタルカメラから動画、静止画、音声を無線で転送し、メモリに記録できる特徴を有する請求項１〜２いずれかのＡＶモニタ装置。
【請求項４】
ビデオカメラ、デジタルカメラから無線で受け取った動画、静止画、音声や、メモリに記録された動画、静止画、音声を、選択したビデオカメラ、デジタルカメラ、プリンタのいずれかに無線で転送できる事を特徴とする請求項２，３いずれかのＡＶモニタ装置。
【請求項５】
ビデオカメラに対して、記録の開始・停止、カメラ設定等の操作を無線で行える事を特徴とする請求項１〜４いずれかのＡＶモニタ装置。
【請求項６】
デジタルカメラに対して、シャッターや再生、画像の消去、カメラ操作等の操作を無線で行える事を特徴とする請求項１〜５いずれかのＡＶモニタ装置。
【請求項７】
プリンタに対して、印刷開始、印刷中止等の操作を無線で行える事を特徴とする請求項１〜６いずれかのＡＶモニタ装置。
【請求項８】
制御手段に機器に有線接続する為の汎用的なインターフェースを設けた事をを特徴とする請求項１記載のＡＶモニタ装置。
【発明の詳細な説明】
【技術分野】
【０００１】
本発明は、ビデオカメラやデジタルカメラ、プリンタ等複数のＡＶ機器を制御する為に、動画や静止画を表示する表示装置、動画や静止画を記録する為のメモリ、他の機器と通信をする無線部、それぞれのブロックを制御するコントロール部を備えたＡＶモニタ装置に関するものである。
【背景技術】
【０００２】
近年、様々なＡＶ機器間でインタフェースを定め、動画や静止画をやりとりするネットワーク化が注目されている。
【０００３】
以下に従来のＡＶモニタ装置について説明する。ＡＶ機器からモニタ装置を分離する事のできる構造として、特開２００１−３０９２２０号公報に記載されたものが知られている。そのビデオカメラを図６に示す。図４において、１００はビデオカメラ本体である。１０６はバッテリである。１１０はコネクタである。１１１はヒンジである。１１２はロック溝である。１１３はロック爪である。１１４は嵌合溝である。１１５はビューファインダである。
【０００４】
また分離されたモニタ部を図７に示す。１０６はバッテリである。１１３はロック爪である。１３２はメモリカードである。１５０は液晶パネルである。
【０００５】
以上のように構成された従来のビデオカメラとモニタの分離構造について、以下その動作について説明する。まず、本従来明のビデオカメラは、第１の記録媒体を持つビデオカメラ本体と第２の記録媒体を持つモニタ部とからなるビデオカメラであって、前記ビデオカメラ本体と前記モニタ部を分離可能に結合させる結合手段を有することを特徴とする。
【０００６】
従来発明によれば、第１に、液晶モニタとビデオカメラ本体の接合部にコネクタを配置したので、互いに分割可能になった。第２に、液晶パネル側へ静止画像記録用メモリ、圧縮静止画像データの伸張手段、静止画像記録用メモリ読出しアドレス制御手段、電源供給手段を備えることにより、液晶パネルを除いたビデオカメラ本体単体、または液晶パネル単体で機能することが可能になった等の利点を有している。
【特許文献１】特開２００１−３０６２２０号公報
【発明の開示】
【発明が解決しようとする課題】
【０００７】
しかしながら上記の従来の構成では、モニタ部は単体で機能する事ができるにもかかわらず、ビデオカメラとのインターフェースしか備えていない為、ビデオカメラとの連携しか行う事ができない。つまり、他のビデオカメラやデジタルスチルカメラとの間でデータをやりとりを行うことができないのである。
【０００８】
さらに、ビデオカメラとモニタ部とを電気的に接続するためのコネクタを、それぞれの本体外部に設けないといけないため、装置本体（ビデオカメラ、モニタ部）が大型化してしまうとともに、コストアップになってしまう。
【０００９】
本発明は上記従来の発明に対し、モニタ部分にＡＶ機器のネットワーク機能を追加する物である。その際、ケーブル接続の煩雑さや、最近の小型機器や十分なインターフェースを備えない機器に対するネットワークも考慮する事を特徴とする。つまりモニタ装置に無線インターフェースのみ、もしくは無線インターフェースと有線インターフェースの両方を備える事によって、ビデオカメラのみならずデジタルカメラやプリンタの制御をも統合できるＡＶモニタ装置を提供することを目的とする。
【課題を解決するための手段】
【００１０】
この目的を達成するために本発明のＡＶモニタ装置は、表示装置と、Ｂｌｕｅｔｏｏｔｈや無線ＬＡＮ等の汎用な無線部と、動画、静止画、音声を記録できるメモリと、それらを制御するコントロール部と、十分な大きさを持った使いやすい入力インターフェースを備えた構成を有している。
【００１１】
この構成によって、汎用的な無線機能を有したＡＶ機器との連携が可能となり、ビデオカメラのみならずデジタルカメラやプリンタの制御をも統合できるＡＶモニタ装置が得られる。
【発明の効果】
【００１２】
以上のように本発明は、複数のＡＶ機器間でのネットワークを可能にするという効果と、小さなユーザーインターフェースしかない機器や十分な機能のないユーザーインターフェースしかない機器でのネットワーク操作をし易くする効果と、無線で切り離して自由に操作したり、機能を機器に取り付けてコンパクトにつかったり、有線接続で高速に通信したり、状況に合わせて選択できる形状を得られるという優れた効果が得られる。
【発明を実施するための最良の形態】
【００１３】
本発明の請求項１に記載の発明は、表示装置と、動画、静止画、音声を記録できるメモリと、Ｂｌｕｅｔｏｏｔｈや無線ＬＡＮ等の汎用な無線部と、それらを制御するコントロール部を備えたＡＶモニタ装置であって、互換性のある無線部を搭載したビデオカメラ、デジタルカメラ、プリンタと通信できるという作用を有する。
【００１４】
請求項２に記載の発明は、入力インターフェースを有し、ビデオカメラ、デジタルカメラから無線で転送した動画、静止画、音声を自由に切り替えたり、並べたりして表示するという作用を有する。
【００１５】
請求項３に記載の発明は、動画、静止画、音声を記録できるメモリを有し、ビデオカメラ、デジタルカメラから動画、静止画、音声を無線で転送し、メモリに記録できるという作用を有する。
【００１６】
請求項４に記載の発明は、ビデオカメラ、デジタルカメラから受け取った動画、静止画、音声や、メモリに記録された動画、静止画、音声を、選択したビデオカメラ、デジタルカメラ、プリンタのいずれかに無線で転送できるという作用を有する。
【００１７】
請求項５に記載の発明は、ビデオカメラに対して、ＶＴＲ操作、記録の開始・停止、カメラ設定等の操作を無線で行えるという作用を有する。
【００１８】
請求項６に記載の発明は、デジタルカメラに対して、シャッターや再生、画像の消去、カメラ操作等の操作を無線で行えるという作用を有する。
【００１９】
請求項７に記載の発明は、プリンタに対して、印刷開始、印刷中止等の操作を無線で行えるという作用を有する。
【００２０】
請求項８に記載の発明は、ビデオカメラ、デジタルカメラ、プリンタに有線接続する為のインターフェースをコントロール部に設けた物であり、前記の機器に有線接続により高速な通信を行えるという作用を有する。
【００２１】
以下、本発明の実施の形態について、図１から図５を用いて説明する。
【００２２】
（実施の形態１）
図１は本発明の実施形態１によるＡＶモニタ装置の外観図であり、図１において、１００はＡＶモニタ装置の本体、１１０はＡＶモニタ装置１００から他の機器に信号を送信したり、他の機器から送信されてくる信号を受信したりする無線部、１２０は汎用な記憶媒体（メモリカード）を着脱可能なメモリーカードスロットであり、具体例としてＳＤカードスロットや、コンパクトフラッシュ（登録商標）スロット等が挙げられる。１３０は映像信号や情報信号を表示する表示部で、一般には液晶デバイスが用いられるが、有機ＥＬディスプレイデバイスであっても構わない。１３３は表示部１３０の表示面を直接使用者の指などで接触することで各種操作が可能なタッチセンサ、１４２はカーソルキーをはじめとする各種入力操作が可能な入力部、１４４はＡＶモニタ装置１００の駆動源であるバッテリーである。
【００２３】
図２は本発明の実施形態１によるＡＶモニタ装置とその周辺機器の動作説明図である。図２において、１００はＡＶモニタ装置で、外郭部分における詳細構成は前述の図１に示すものである。２００は映像音声信号を記録媒体（テープやディスク）に記録再生可能なビデオカメラ、３００は映像信号（動画、静止画）をメモリカードなどの半導体記憶媒体に記録再生可能なデジタルカメラで、ビデオカメラ２００もデジタルカメラ３００もいずれも少なくともレンズやＣＣＤなどからなる撮像手段を備えていればよく、例えば、記録手段を持たず撮像手段と送信手段のみを備える機器であっても構わない。４００は画像などを印刷可能なプリンタである。これら全ての機器に信号を無線通信可能な手段を備えている。
【００２４】
図３は本発明の第１の実施形態におけるＡＶモニタ装置のブロック図である。図３において、１１０は無線部であり、１１１は物理層、１１２はＭＡＣ層、１１３はアプリケーション層を備えている。１２０はメモリ部であり、１２１は各種信号を記憶または読み出し可能なメモリ、１２２はメモリ１２１を動作制御するメモリコントローラ、１２３はメモリ１２１に信号を記録する際に記録に適切なフォーマットに変換するフォーマット変換回路である。メモリ１２１は、本装置に対して着脱自在なメモリカードである場合と、着脱不可能な内蔵メモリである場合とがある。１３０は表示部であり、１３１は液晶表示部１３２を駆動制御する液晶駆動部、１３２は液晶駆動部１３１により動作制御され各種情報（映像信号やその他の情報）を表示する液晶表示部で、本実施の形態では液晶デバイスを用いたが有機ＥＬなどのように他の表示デバイスであっても構わない。１３３は液晶表示部１３２の表示面に設けられ、使用者の指などが接触することで各種操作が可能なタッチセンサ部である。１４０はＡＶモニタ装置本体であり、１４１は各種信号処理を行うＣＰＵ、１４２は使用者によって操作される入力部で、例えばカーソルキーやボタンなどから構成される。１４４は本装置を駆動するための電源を供給するバッテリー、１４５は切換回路、１４６は他の機器から送信されてくる圧縮動画をデコードする動画デコーダ、１４７は他の機器から送信されてくる圧縮静止画をデコードする静止画デコーダ、１４８は動画デコーダ１４６から静止画デコーダ１４７かのいずれかの出力信号を選択して液晶駆動回路１３１に出力する液晶表示切換回路である。
【００２５】
以上のように構成された実施の形態１について、図１、図２、図３を用いてその動作を説明する。
【００２６】
まず、図１は本発明の外観図である。映像を表示するモニタに加えて、Ｂｌｕｅｔｏｏｔｈ（登録商標）や無線ＬＡＮ等の汎用的な無線通信が可能な無線部１１０を備え、その無線通信に対して互換性のあるビデオカメラ、デジタルカメラ、プリンタと通信を行う事ができるようになっている。また十分な大きさと機能をもったスイッチ等の入力部１４２を備え、使用者は表示部１３０に表示される映像や情報を見ながら各種操作を行うことができる。さらに、表示部１３０にはタッチセンサ１３３を備え、これにより表示を見ながら任意の画像を選択したり、通信する機器のコントロールを行う事ができる。また単体での動作を可能とするため、バッテリー１４４を接続できるようになっている。本実施の形態ではバッテリ１４４を接続したが、省エネや本体軽量化の観点から太陽電池を用いる構成としてもよい。
【００２７】
以下、図３のブロック図を用いて回路の動作を詳しく述べる。本装置は以下の５つのモードを持つ。
【００２８】
（Ａ）動画受信モード
（Ｂ）静止画受信モード
（Ｃ）動画送信モード
（Ｄ）静止画送信モード
（Ｅ）コントロールモード
である。
【００２９】
まず、（Ａ）動画受信モードについて述べる。
このモードは、図２においてＡＶモニタ装置１００をビデオカメラ２００やデジタルカメラ３００と無線接続を行い、ビデオカメラ２００やデジタルカメラ３００から送信される動画をＡＶモニタ装置１００内のメモリに記録したり、表示したりするモードである。なお、ビデオカメラ２００やデジタルカメラ３００からの動画は、ビデオカメラ２００及びデジタルカメラ３００に設けられた撮像手段で撮影したものであっても構わないし、テープやメモリカードに記録された動画であっても構わない。
【００３０】
図３において無線部１１０で、物理層１１１において基本的な無線接続を行い、ＭＡＣ層１１２でより上位の接続を行う。アプリケーション層１１３では実装者独自の処理が加えられる。ここで、接続相手から無線転送に適した形式（ＭＰＥＧ−ＴＳやＰＳ）で送信された信号を、デコーダで処理できる形式（ＭＰＥＧ等）に変換する。これは切換回路１４５に渡される。記録する場合にはここからフォーマット変換回路１２３でメモリーカードデータにフォーマットされ、メモリコントローラ１２２に渡され、メモリ１２１に記録される。表示をする場合は動画デコーダ１２２に渡されて圧縮が解かれ、液晶表示切換装置１２６を通って液晶へ渡され、表示される。フォーマット変換回路１２３と動画デコーダ１４６に同時に渡し、記録、表示を同時に行う事もできる。
【００３１】
次に、（Ｂ）静止画受信モードについて述べる。
【００３２】
このモードは、図２においてＡＶモニタ装置１００をビデオカメラ２００やデジタルカメラ３００と無線接続を行い、ビデオカメラ２００やデジタルカメラ３００から送信されてくる静止画をメモリに記録したり、表示装置に表示したりするモードである。なお、ビデオカメラ２００やデジタルカメラ３００からの静止画は、ビデオカメラ２００及びデジタルカメラ３００に設けられた撮像手段で撮影したものであっても構わないし、テープやメモリカードに記録された静止画であっても構わない。
【００３３】
図３において、動画受信モード（Ａ）と同様に無線部１１０より切換回路１４５に静止画データが渡される。記録する場合にはここからフォーマット変換回路１２３でメモリーカードデータにフォーマットされ、メモリコントローラ１２２に渡され、メモリ１２１に記録される。表示をする場合は静止画デコーダ１４７に渡されて圧縮が解かれ、液晶表示切換装置１４８を通って液晶へ渡され、表示される。フォーマット変換回路１２３と静止画デコーダ１４７に同時に渡し、記録、表示を同時に行う事もできる。
【００３４】
次に、（Ｃ）動画送信モードについて述べる。
【００３５】
このモードは、図３においてＡＶモニタ装置１００のメモリに蓄えられた動画データを、ビデオカメラ２００やデジタルカメラ３００に送信するモードである。ビデオカメラ２００で大容量のテープ媒体に記録する事ができる。
【００３６】
図３において、まずメモリ１２１に保存された動画データ（ＭＰＥＧ等）をメモリコントローラ１２２により読み出す。これをフォーマット変換回路１２３でカード用に追加したデータを削除し、切換回路１４５に受け渡す。ここから無線部１１０に渡されるがアプリケーション層１１３で無線転送に適した形式（ＭＰＥＧ−ＴＳやＰＳ等）に変換され、接続相手であるビデオカメラやデジタルカメラに転送される。なお、動画受信モード（Ａ）と同様に動画デコーダ１４６に渡して、転送と同時に表示する事もできる。
【００３７】
次に、（Ｄ）静止画送信モードについて述べる。
【００３８】
このモードは、図３においてＡＶモニタ装置１００のメモリに蓄えられた静止画データを、プリンタ４００に送って印刷したり、デジタルカメラ２００とビデオカメラ３００間でデータを交換したりできるモードである。
【００３９】
図３において、まずメモリ１２１に保存された静止画データ（ＪＰＥＧ等）をメモリコントローラ１２２により読み出す。これをフォーマット変換回路１２３でカード用に追加したデータを削除し、切換回路１４５に受け渡す。ここから無線部１１０に渡され、接続相手であるプリンタやビデオカメラ、デジタルカメラに転送される。なお、静止画受信モード（Ｂ）と同様に静止画デコーダ１４７に渡して、転送と同時に表示する事もできる。
【００４０】
次に、コントロールモード（Ｅ）について述べる。
【００４１】
これは図３においてＡＶモニタ装置１００より指令を出し、ビデオカメラ３００のズーミング等のカメラ操作や記録開始／停止等のＶＴＲ操作等を行わせたり、プリンタ４００の印刷設定を行ったり、印刷開始の指示を出したりするモードである。
【００４２】
図３において、使用者は表示部１３０に表示されるユーザーインターフェースをたよりに、入力部１４２またはタッチセンサ１３３より、対象となる機器、及び機器への指示を入力する。この指示はＣＰＵ１４１に伝わり、ＣＰＵ１４１はアプリケーション層１１３へ特定のコマンド体系で伝え、無線部１１０を介して対象機器へ転送される。
【００４３】
また複数の機器、例えば図３においてデジタルカメラ３００とプリンタ４００に順にコマンドを送り、デジタルカメラ３００からプリンタ４００に静止画を送らせ、そのまま印刷する等、機器の連携を指示する事もできる。
【００４４】
以上のように本実施の形態１によれば、機器から分離されたモニタに無線部を組み込む事で、請求項１〜７に示した様なビデオカメラ、デジタルカメラ、プリンタと通信が可能になる。また入力インターフェースを設ける事により各機器のコントロールを行ったり、接続する機器を選択したり、表示する画像を切り替えたりする事ができる。
【００４５】
（実施の形態２）
図４は本発明の実施形態２におけるＡＶモニタ装置と有線接続時の周辺機器の外観図である。図４において、図１において、１１０は無線部、１２０は汎用なメモリーカードスロットであり、具体例としてＳＤカードスロットや、コンパクトフラッシュ（登録商標）スロット等が挙げられる。１３０は表示部、１３３はタッチセンサ、１４２は入力部、１４４はバッテリーである。以上は図１の構成と同様なものである。図１の構成と異なるのは有線インターフェース１４３を設けた点であり、この具体例としてＵＳＢ（ユニバーサル・シリアル・バス）規格やＩＥＥＥ１３９４規格に準拠したもの等があげられる。
【００４６】
図５は本発明の実施形態２におけるＡＶモニタ装置のブロック図である。
【００４７】
図５において１１０は無線部、１１１は物理層、１１２はＭＡＣ層、１１３はアプリケーション層である。１２０はメモリ部であり、１２１はメモリであり、メモリカードである場合と内蔵メモリである場合がある。１２２はメモリコントローラ、１２３はフォーマット変換回路である。１３０は表示部であり、１３１は液晶駆動部、１３２は液晶表示部、１３３はタッチセンサ部である。１４０はＡＶモニタ装置本体であり、１４１はＣＰＵであり、１４２は入力部であり、１４４はバッテリーであり、１４５は切換回路、１４６は動画デコーダ、１４７は静止画デコーダ、１４８は液晶表示切換回路である。
【００４８】
以上は図３の構成と同様なものである。図３の構成と異なるのは１４３は有線インターフェースを設けた点である。
【００４９】
以上のように構成されたＡＶモニタ装置について、以下図４，５を用いてその動作を説明する。まず、無線を使用した場合の動作は実施形態１と同様であるので、省略する。
【００５０】
図４において、ＡＶモニタ装置１００には無線に加えて、有線インターフェース１４３が設けられている。この端子と互換性のある端子を備えたデジタルカメラ３００，プリンタ４００とも接続する事ができる。図４に接続時の外観を示す。
【００５１】
図５において、有線インターフェース１４３より動画、静止画、音声、コントロールコマンドがやり取りされる。これら信号はＣＰＵの制御に応じて切り替え回路１４５に送られる。以降実施形態１と同様に処理される。
【００５２】
以上のように本実施の形態２によれば、有線インターフェースを設けることにより、請求項８に示す様に一体化してより高速な通信を行う事ができる。
【００５３】
なお、以上の説明では有線インタフェース１４３を装備したが、実施形態１のままの構成で図４に示す様に一体化することで、高速ではないが一体化してコンパクトに使用できるという作用も得られる。
【００５４】
なお、以上の説明では接続相手となる機器をビデオカメラ、デジタルカメラ、プリンタとしたが、映像や音声を扱う機器であれば他の機器でもかまわない。
【産業上の利用可能性】
【００５５】
本発明のＡＶモニタ装置は、ビデオカメラやデジタルカメラやプリンタとの接続を行って互いに通信を行う構成としたが、接続対象する機器はこれらに限定されるものではなく、通信手段を備えＡＶモニタ装置で扱える情報を送受信可能な機器であれば、様々な機器との接続が可能となる。
【図面の簡単な説明】
【００５６】
【図１】本発明の実施の形態１におけるＡＶモニタ装置の外観図
【図２】同実施の形態１におけるＡＶモニタ装置と周辺機器の動作説明図
【図３】本発明の実施の形態１におけるＡＶモニタ装置のブロック図
【図４】本発明の実施の形態２におけるＡＶモニタ装置および周辺機器の外観図
【図５】本発明の実施の形態２におけるＡＶモニタ装置のブロック図
【図６】従来のビデオカメラの外観斜視図
【図７】従来のビデオカメラの液晶パネル部の外観斜視図
【符号の説明】
【００５７】
１００    ＡＶモニタ装置
１１０    無線部
１１１    物理層
１１２    ＭＡＣ層
１１３    アプリケーション層
１２０    メモリ部
１２１    メモリ
１２２    メモリコントローラ
１２３    フォーマット変換回路
１３０    表示部
１３１    液晶駆動部
１３２    液晶表示部
１３３    タッチセンサ
１４０    ＡＶモニタ装置本体
１４１    ＣＰＵ
１４２    入力部
１４３    有線インターフェース
１４４    バッテリー
１４５    切換装置
１４６    動画デコーダ
１４７    静止画デコーダ
１４８    液晶表示切換回路
２００    ビデオカメラ
３００    デジタルカメラ
４００    プリンタ
【図１】
2005191622.tif 000003
【図２】
2005191622.tif 000004
【図３】
2005191622.tif 000005
【図４】
2005191622.tif 000006
【図５】
2005191622.tif 000007
【図６】
2005191622.tif 000008
【図７】
2005191622.tif 000009